(57)【要約】【課題】本発明は、コンテンツ処理プログラム、コンテンツ管理方法に関し、コンパクトディスク等に記録された音楽より所望の箇所を切り出して着メロとして利用する場合等に、種々の保護形態に柔軟に対応して著作権を有効に保護することができるようにする。【解決手段】本発明は、記録媒体に記録したコンテンツと共に携帯電話４にアップロードしてなるコンテンツを特定するコンテンツ情報Ｄ１に基づいて、携帯電話４におけるコンテンツの使用料金を徴収する。【選択図】        図１
2004212448.tif 000002
【特許請求の範囲】
【請求項１】
コンピュータに所定の処理手順を実行させるコンテンツ処理プログラムにおいて、
前記処理手順は、
記録媒体に記録されたコンテンツを、前記コンテンツを特定するコンテンツ情報と共に取得するコンテンツ取得のステップと、
前記コンテンツ取得のステップで取得したコンテンツを携帯電話で利用可能に、前記コンテンツ情報と共に前記携帯電話にアップロードするアップロードのステップとを有する
ことを特徴とするコンテンツ処理プログラム。
【請求項２】
前記アップロードのステップは、
前記携帯電話にアップロードする前記コンテンツの再生時間の情報を併せて前記携帯電話にアップロードする
ことを特徴とする請求項１に記載のコンテンツ処理プログラム。
【請求項３】
前記携帯電話における前記コンテンツの利用が、着信メロディーによる利用である
ことを特徴とする請求項１に記載のコンテンツ処理プログラム。
【請求項４】
記録媒体に記録してユーザーに提供するコンテンツのコンテンツ管理方法において、
前記記録媒体から携帯電話にアップロードされたコンテンツを特定するコンテンツ情報を、前記携帯電話から取得するコンテンツ情報取得のステップと、
前記コンテンツ情報取得ステップで取得した前記コンテンツ情報に基づいて、前記携帯電話における前記コンテンツの使用料金を課金する課金ステップと
を有することを特徴とするコンテンツ管理方法。
【請求項５】
前記課金ステップは、
前記携帯電話の通話料金の課金システムにより、前記コンテンツの使用料金を課金する
ことを特徴とする請求項４に記載のコンテンツ管理方法。
【請求項６】
前記コンテンツ情報に基づいて、前記使用料金の配分を決定する料金配分のステップを有する
ことを特徴とする請求項４に記載のコンテンツ管理方法。
【請求項７】
前記コンテンツ情報取得のステップは、
前記携帯電話における通話に係る処理において、前記コンテンツ情報を取得する
ことを特徴とする請求項４に記載のコンテンツ管理方法。
【発明の詳細な説明】
【０００１】
【発明の属する技術分野】
本発明は、コンテンツ処理プログラム、コンテンツ管理方法に関し、特に携帯電話の着信メロディの管理に適用することができる。本発明は、記録媒体に記録したコンテンツと共に携帯電話にアップロードしてなるコンテンツを特定するコンテンツ情報に基づいて、携帯電話におけるコンテンツの使用料金を徴収することにより、コンパクトディスク等に記録された音楽より所望の箇所を切り出して着メロとして利用する場合等に、種々の保護形態に柔軟に対応して著作権を有効に保護することができるようにする。
【０００２】
【従来の技術】
従来、携帯電話においては、着信メロディー（以下、着メロと呼ぶ）により個性を発揮できるようになされており、このためインターネット等により種々の着メロが提供されるようになされている。これにより携帯電話のユーザーにおいては、例えば着メロに係るホームページをアクセスし、気に入った着メロをダウンロードして利用するようになされている。
【０００３】
これに対して一般の音楽においては、近年、ネットワークを介して配信する方法も採用されるようになされており、例えば特開２００２−２３７６７号公報等にあっては、このような音楽配信において、著作権料の配分方法が提案されるようになされている。
【特許文献１】
特開２００２−２３７６７号公報
【０００４】
【発明が解決しようとする課題】
ところでユーザーにおいては、同じ音楽が好きな場合でも、この好きな音楽の中で具体的に好きな箇所が異なる場合がある。例えば、いわゆるイントロが好きな場合や、いわゆるサビの部分が好きな場合等である。これに対してインターネット等により提供される従来の着メロにおいては、１つの曲の中から特徴的な箇所を抜き出したものである。これにより従来の着メロにおいては、必ずしも音楽好きの全てのユーザーを満足させるものでは無い欠点があった。
【０００５】
この欠点を解決する１つの方法として、例えばコンパクトディスクに記録されて提供される音楽から、所望の箇所を切り出して着メロに利用することが考えられる。しかしながらこのような音楽の利用においては、従来の記録メディアに係る著作権料の徴収、分配システムでは予定していない利用であり、これにより種々の形態により著作権を保護することが考えられ、このような種々の形態による著作権の保護に柔軟に対応することができれば、便利であると考えられる。
【０００６】
本発明は以上の点を考慮してなされたもので、コンパクトディスク等に記録された音楽より所望の箇所を切り出して着メロとして利用する場合等に、種々の保護形態に柔軟に対応して著作権を有効に保護することができるコンテンツ処理プログラム、コンテンツ管理方法を提案しようとするものである。
【０００７】
【課題を解決するための手段】
かかる課題を解決するため請求項１の発明においては、コンピュータに所定の処理手順を実行させるコンテンツ処理プログラムに適用して、この処理手順は、記録媒体に記録されたコンテンツを、コンテンツを特定するコンテンツ情報と共に取得するコンテンツ取得のステップと、このコンテンツ取得のステップで取得したコンテンツを携帯電話で利用可能に、コンテンツ情報と共に携帯電話にアップロードするアップロードのステップとを有するようにする。
【０００８】
また請求項４の発明においては、記録媒体に記録してユーザーに提供するコンテンツのコンテンツ管理方法に適用して、記録媒体から携帯電話にアップロードされたコンテンツを特定するコンテンツ情報を、携帯電話から取得するコンテンツ情報取得のステップと、このコンテンツ情報取得ステップで取得したコンテンツ情報に基づいて、携帯電話におけるコンテンツの使用料金を課金する課金ステップとを有するようにする。
【０００９】
請求項１の構成により、コンピュータに所定の処理手順を実行させるコンテンツ処理プログラムに適用して、この処理手順は、記録媒体に記録されたコンテンツを、コンテンツを特定するコンテンツ情報と共に取得するコンテンツ取得のステップと、このコンテンツ取得のステップで取得したコンテンツを携帯電話で利用可能に、コンテンツ情報と共に携帯電話にアップロードするアップロードのステップとを有するようにすれば、例えば着メロにより利用可能に携帯電話にアップロードしたコンテンツを特定可能なコンテンツ情報がこの携帯電話にアップロードされていることにより、例えば通話に係る処理において、このコンテンツ情報を取得して携帯電話へのコンテンツのアップロード、さらには携帯電話におけるこのコンテンツの使用を把握することができ、これにより例えば携帯電話へのコンテンツのアップロードに課金する場合、携帯電話におけるコンテンツの使用に応じて課金する場合、特定コンテンツに限って課金する場合、さらにはコンテンツに応じて金額を切り換える場合等、種々の保護形態に柔軟に対応して著作権を有効に保護することができる。
【００１０】
また請求項４の構成により、記録媒体に記録してユーザーに提供するコンテンツのコンテンツ管理方法に適用して、記録媒体から携帯電話にアップロードされたコンテンツを特定するコンテンツ情報を、携帯電話から取得するコンテンツ情報取得のステップと、このコンテンツ情報取得ステップで取得したコンテンツ情報に基づいて、携帯電話におけるコンテンツの使用料金を課金する課金ステップとを有するようにすれば、例えば着メロにより利用可能に携帯電話にアップロードしたコンテンツを特定可能なコンテンツ情報を、例えば通話に係る処理において取得して携帯電話へのコンテンツのアップロード、さらには携帯電話におけるこのコンテンツの使用を把握することができ、これにより例えば携帯電話へのコンテンツのアップロードに課金する場合、携帯電話におけるコンテンツの使用に応じて課金する場合、特定コンテンツに限って課金する場合、さらにはコンテンツに応じて金額を切り換える場合等、種々の保護形態に柔軟に対応して著作権を有効に保護することができる。
【００１１】
【発明の実施の形態】
以下、適宜図面を参照しながら本発明の実施の形態を詳述する。
【００１２】
（１）実施の形態の構成
図１は、本発明の実施の形態に係る着メロシステムを示すブロック図である。この着メロシステム１は、ユーザーのコンピュータ２におけるアプリケーションプログラムの実行により、光ディスク３に記録された音楽より所望の箇所を切り出して携帯電話４の着メロとして利用できるようになされている。
【００１３】
ここで光ディスク３には、各種音楽コンテンツがそれぞれコンテンツＩＤと共に記録されるようになされている。ここでコンテンツＩＤは、各音楽コンテンツを特定する各音楽コンテンツに固有のＩＤである。コンテンツＩＤは、同一曲の場合でも、後述する著作権料の分配が異なる場合、これらを識別可能に設定されるようになされている。
【００１４】
コンピュータ２は、この光ディスク３に記録された音楽より所望の箇所を切り出して携帯電話４にアップロードする。すなわち図２は、このコンピュータ２の構成を示すブロック図である。このコンピュータ２において、光ディスクドライブ７は、中央処理ユニット（ＣＰＵ）８の制御により光ディスク３に記録された音楽コンテンツ、コンテンツＩＤ等を再生して出力する。インターフェース（Ｉ／Ｆ）９は、携帯電話４との間の入出力回路であり、中央処理ユニット８の制御により、携帯電話４から着メロの処理に要する各種情報を取得し、また着メロのファイルである着メロファイルＦ、この着メロファイルＦに係る管理情報Ｄ１を携帯電話４にアップロードする。入出力部１０は、キーボード、マウス等による入力手段、表示装置等による出力手段により構成され、ユーザーによる各種操作を中央処理ユニット８に通知し、また中央処理ユニット８による処理結果を出力する。ハードディスクドライブ（ＨＤＤ）１２は、中央処理ユニット８の処理プログラム等を記録し、また記録した各種のデータ等を再生して出力する。
【００１５】
中央処理ユニット８は、リードオンリメモリ（ＲＯＭ）１３の記録に従ってランダムアクセスメモリ（ＲＡＭ）１４にワークエリアを確保してハードディスクドライブ１２に記録された各種プログラムを実行する。この一連の処理において、中央処理ユニット８は、ユーザーにより着メロの処理に係るアプリケーションプログラムの実行が指示されると、図３に示す処理手順の実行により、光ディスク３より着メロファイルＦを作成し、この着メロファイルＦを携帯電話４にアップロードする。なおこの着メロの処理に係るアプリケーションプログラムにおいては、インターネット等のネットワークを介したダウンロードにより、さらには各種の記録媒体により提供されるようになされ、このような記録媒体としては、磁気ディスク、光ディスク、磁気テープ等の記録媒体を適用することができる。
【００１６】
すなわち中央処理ユニット８は、この処理手順を開始すると、ステップＳＰ１からステップＳＰ２に移り、表示画面にメッセージを表示して携帯電話４の接続を促し、インターフェース９を介して携帯電話４の接続が検出されると、携帯電話４から着メロの処理に必要な情報を取得する。ここでこの情報は、携帯電話４で処理可能な着メロファイルＦのファイル形式、ファイル長、演奏時間等である。
【００１７】
このようにして着メロの処理に必要な情報を取得すると、中央処理ユニット８は、ステップＳＰ３に移り、光ディスクドライブ７の制御により、光ディスク３に記録された曲名を検出し、この曲名を表示画面に一覧表示する。さらに中央処理ユニット８は、この一覧表示におけるユーザーによる選択により、着メロに係る曲の選択を受け付ける。
【００１８】
続いて中央処理ユニット８は、ステップＳＰ４に移り、光ディスクドライブ７の制御によりステップＳＰ３でユーザーが選択した曲を再生し、ユーザーによるイン点、アウト点の設定を受け付ける。なお中央処理ユニット８は、ステップＳＰ２で取得した演奏時間を満足する範囲で、これらイン点、アウト点の設定を受け付ける。また続くステップＳＰ５において、これらイン点、アウト点間を再生し、ユーザーにより確認を受け付ける。この処理において、ユーザーによりイン点、アウト点の再設定が指示されると、中央処理ユニット８は、ステップＳＰ５からステップＳＰ４に戻る。
【００１９】
これに対してユーザーにより確認が得られると、中央処理ユニット８は、ステップＳＰ５からステップＳＰ６に移り、光ディスクドライブ７にこの曲の再生を指示し、ユーザーにより設定されたイン点、アウト点のオーディオデータをハードディスクドライブ１２に記録する。これにより中央処理ユニット８は、光ディスク３に記録された音楽より所望の箇所を切り出してハードディスクドライブ１２に一時保持する。このとき併せて中央処理ユニット８は、この曲のコンテンツＩＤ、イン点、アウト点間の演奏時間を検出し、ハードディスクドライブ１２に記録する。
【００２０】
続いて中央処理ユニット８は、ステップＳＰ７に移り、切り出してハードディスクドライブ１２に記録したオーディオデータを、ステップＳＰ２で取得した携帯電話の情報に基づいてフォーマット変換し、これにより着メロファイルＦを作成する。また続くステップＳＰ８において、ユーザーによる指示により、この着メロファイルＦを携帯電話４にアップロードする。このとき中央処理ユニット８は、併せてハードディスクドライブ１２に保持したコンテンツＩＤ、演奏時間の情報を着メロファイルＦに係る管理情報Ｄ１として携帯電話４にアップロードし、アップロードを完了すると、ステップＳＰ９に移ってこの処理手順を終了する。
【００２１】
これらによりこの実施の形態においては、コンテンツを特定する情報、演奏時間の情報と共に着メロファイルＦを携帯電話４にアップロードするようになされている。
【００２２】
携帯電話４は、着メロの機能を有する携帯電話であり、コンピュータ２等によりアップロードされた着メロファイルＦを、対応する管理情報と共に内蔵のメモリに記録して保持する。また携帯電話４は、このようにしてメモリに記録した着メロファイルＦのユーザーによる選択により、又はユーザーによるメモリに記録した電話番号との対応付けにより、所定の通話相手からの着信が検出されると、対応する着メロファイルＦを再生して出力する。
【００２３】
またこのようにして着メロにより着信をユーザーに通知して、ユーザーによる操作子の操作により着メロファイルＦの再生を中止すると共に、一連の回線接続処理を実行し、着信に係る通話相手との間で音声の送受を開始する。この回線接続処理において、携帯電話４は、再生中であった着メロファイルＦのコンテンツＩＤ、演奏時間による管理情報Ｄ１を送信する。これによりこの実施の形態では、光ディスク３に記録された特定の音楽コンテンツについて、着メロとしての携帯電話４へのアップロード、このアップロードした着メロの使用を電話局側で検出できるようになされている。
【００２４】
なお携帯電話４は、このようなコンピュータ２からのアップロードに代えて、インターネットに接続して着メロファイルをダウンロードし、コンピュータ２により着メロファイルをアップロードした場合と同様に利用できるようになされている。
【００２５】
電話局管理用サーバー２１は、携帯電話４に係る通話等を管理するサーバーであり、携帯電話４の通話記録を保持し、この通話記録に基づいて携帯電話４の通話料金を算出して課金するようになされている。またインターネット上に設けられた各種サイトへの接続、これらサイトからのダウンロード等について、携帯電話４によるこれらサイトの利用を併せて記録するようになされ、この記録に基づいてこれらサイトの利用料金を計算し、通話料金にこのサイトの利用料金を加算して課金するようになされている。なおここでこのようなサイトにあっては、着メロを提供するサイトはもちろんのこと、例えば交通情報を提供するサイト等がある。またこのようなサイトの利用料金においては、例えば定額性、従量性とがある。
【００２６】
さらに電話局管理用サーバー２１は、着信に対する一連の回線接続処理により携帯電話４からコンテンツＩＤ、演奏時間の情報による管理情報Ｄ１が通知されると、これら管理情報Ｄ１をこの携帯電話４の電話番号Ｄ２と共にＩＤ管理サーバー２２に通知する。またＩＤ管理サーバー２２からの通知に従って、光ディスク３に記録された音楽コンテンツによる着メロの使用料金を通話料金に加算してユーザーに課金する。これによりこの実施の形態では、既存のインフラを有効に利用して、光ディスク３に記録された音楽コンテンツによる着メロの使用料金を課金できるようになされている。
【００２７】
ＩＤ管理サーバー２２は、光ディスク３に記録された音楽コンテンツによる着メロの使用を管理するサーバーである。ＩＤ管理サーバー２２は、図４に示す管理用データベースを保持し、電話局管理用サーバー２１からの通知によりこの管理用データベースを更新する。
【００２８】
ここで管理用データベースは、光ディスク３に記録された音楽コンテンツによる着メロの使用を、各ユーザー毎に記録したデータベースであり、コンピュータ２への着メロ用アプリケーションプログラムのインストール時等において、コンピュータ２からの接続等により、携帯電話４を使用するユーザーが登録される。管理用データベースは、この登録時に設定された各ユーザーで固有の識別コードであるユーザーＩＤ、ユーザー名、各ユーザーの使用する携帯電話４の番号が登録されて構築されるようになされている。またこの登録時等の設定により、料金の支払形態が記録されるようになされている。なおここでこの料金の支払形態は、着メロを使用の多少に係わらず一定期間毎に一定料金を支払う定額性、着メロを使用に応じた料金を支払う従量性等を選択できるようになされている。
【００２９】
管理データベースは、電話局管理用サーバー２１から通知される電話番号Ｄ２を基準にして、このようにして登録されたユーザー毎に、この電話番号Ｄ２と共に通知されるコンテンツＩＤ、演奏時間の情報が記録される。これによりこの実施の形態では、既存のインフラを有効に利用して、光ディスク３による着メロのアップロードを把握し、さらにはこの着メロの使用を把握できるようになされている。
【００３０】
ＩＤ管理サーバー２２は、このような管理用データベースの記録を、一定期間毎に集計し、これにより各ユーザーの使用料金を計算し、この使用料金を電話局管理用サーバー２１に通知するようになされている。なお着メロファイルの長さである演奏時間の情報は、一定時間を越えると、１回の使用当たりの使用料金が増大するように設定され、これによりこのＩＤ管理サーバー２２における使用料金の計算に利用されるようになされている。またコンテンツの使用料金は、コンテンツに応じても異なるように設定され、ＩＤ管理サーバー２２は、このコンテンツで相違する使用料金をコンテンツＩＤを利用して計算するようになされている。
【００３１】
またＩＤ管理サーバー２２は、この管理用データベースの集計において、さらにコンテンツＩＤ毎に、利用回数、利用時間を集計し、この集計結果Ｄ３を著作権管理サーバー２３に通知する。
【００３２】
著作権管理サーバー２３は、光ディスク３に係る著作権の管理団体が管理するコンピュータであり、各コンテンツＩＤ毎に、著作権料の分配先、分配率等を記録してなるデータベースを保持するようになされている。著作権管理サーバー２３は、ＩＤ管理サーバー２２の集計結果Ｄ３に基づいて、電話局管理用サーバー２１により課金される着メロの使用料金を各著作権者に配分する。
【００３３】
（２）実施の形態の動作
以上の構成において、この着メロシステム１においては、例えばユーザーが購入したコンパクトディスクによる光ディスク３、いわゆるレンタルショップでユーザーが借り出した光ディスク３、無料で配付した光ディスク３等がコンピュータ２に搭載され、このコンピュータ２に実装された着メロに係るアプリケーションプログラムの実行により、ユーザーの所望する曲が選択され、携帯電話４より取得した情報を基準にして、この曲よりユーザーの所望する箇所が切り出されてコンピュータ２のハードディスクドライブ１２に記録される。またこの切り出したコンテンツを特定するコンテンツ情報であるコンテンツＩＤが、光ディスク３より再生されてハードディスクドライブ１２に記録される。これによりこの実施の形態では、コンピュータ２において、構成記録媒体の１つであるコンパクトディスクに記録されたコンテンツが、このコンテンツを特定するコンテンツ情報と共に取得される。
【００３４】
このようにして取得されたコンテンツは、携帯電話４で着メロとして利用可能にフォーマット変換された後、再生時間である演奏時間、コンテンツＩＤと共に携帯電話４にアップロードされる。これによりこの着メロシステム１においては、例えば通話に係る処理において、このコンテンツＩＤを取得して携帯電話４へのコンテンツのアップロード、さらには携帯電話４におけるこのコンテンツの使用を把握することができ、これにより例えば携帯電話へのコンテンツのアップロードに課金する場合、携帯電話におけるコンテンツの使用に応じて課金する場合、特定コンテンツに限って課金する場合、さらにはコンテンツに応じて金額を切り換える場合等、種々の保護形態に柔軟に対応して著作権を有効に保護することができるようになされている。
【００３５】
この着メロシステム１においては、これら種々の保護形態の中から、ユーザーによる選択により、いわゆる定額性により課金され、又は従量性により、コンテンツの着メロとしての使用回数、再生時間の長さに応じて課金される。またこのようにして課金されて得られる使用料金がコンテンツＩＤを基準にして各著作権者に分配される。
【００３６】
すなわちこの着メロシステム１においては、携帯電話４への着信により着メロが再生され、ユーザーの操作により携帯電話４と通話相手との間で回線が接続される。この回線接続に係る処理において、携帯電話４からコンテンツＩＤ、演奏時間による管理情報Ｄ１が電話局管理用サーバー２１で取得され、この管理情報Ｄ１が、携帯電話４の電話番号Ｄ２と共にＩＤ管理サーバー２２に通知される。これによりＩＤ管理サーバー２２において、各ユーザー毎に、それぞれ携帯電話４における着メロの利用が記録される。
【００３７】
さらに着メロシステム１では、このＩＤ管理サーバー２２の記録が一定期間毎にユーザー単位で集計され、各ユーザーの使用料金が計算され、この使用料金が電話局管理用サーバー２１に通知されて通話料金と共に課金される。これによりこの着メロシステム１では、既存のインフラを有効に利用して利用料金を徴収できるようになされている。
【００３８】
またこの着メロシステム１においては、ＩＤ管理サーバー２２の記録が一定期間毎にコンテンツＩＤ毎に集計され、この集計結果Ｄ３が著作権管理サーバー２３に通知され、この著作権管理サーバー２３において、電話局管理用サーバー２１で、徴収される利用料金がこの集計結果Ｄ３により各著作権者に分配される。
【００３９】
（３）実施の形態の効果
以上の構成によれば、記録媒体に記録したコンテンツと共に携帯電話にアップロードしてなるコンテンツを特定するコンテンツＩＤに基づいて、携帯電話におけるコンテンツの使用料金を徴収することにより、コンパクトディスク等に記録された音楽より所望の箇所を切り出して着メロとして利用する場合に、種々の保護形態に柔軟に対応して著作権を有効に保護することができる。またユーザーにおいては、所望の曲より所望の箇所を選択して着メロとして使用できることにより、その分、オリジナリティーをアピールすることができる。
【００４０】
すなわちこのように携帯電話にアップロードされたコンテンツＩＤを取得し、このコンテンツＩＤに基づいて使用料金を課金することにより、コンパクトディスク等に記録された音楽より所望の箇所を切り出して着メロとして利用する場合に、種々の保護形態に柔軟に対応して著作権を有効に保護することができる。
【００４１】
さらにこの課金の処理を携帯電話の通話料金の課金システムにより実行することにより、既存のインフラを有効に利用して課金の処理を実行することができる。
【００４２】
またこのようにして取得したコンテンツＩＤに基づいて使用料金の配分を決定することにより、実際の利用に即して使用料金を配分することができる。
【００４３】
また通話に係る処理である回線接続処理において、このようなコンテンツＩＤを取得することにより、既存のインフラを有効に利用して著作権を有効に保護することができる。
【００４４】
また再生時間の情報を併せて携帯電話にアップロードすることにより、この再生時間の情報を利用して、コンテンツの利用時間に応じた課金システムを構築することができる。
【００４５】
（４）他の実施の形態
なお上述の実施の形態においては、コンテンツの利用に対して課金する場合について述べたが、本発明はこれに限らず、コンテンツの携帯電話へのアップロードに対して課金する場合にも広く適用することができる。
【００４６】
また上述の実施の形態においては、光ディスクに記録して提供されるコンテンツの全てについて、課金する場合について述べたが、本発明はこれに限らず、特定コンテンツについてだけ、さらには特定記録媒体に記録されたコンテンツにつてだけ、課金するようにしてもよい。なおこのように特定記録媒体に記録されたコンテンツについてだけ課金する場合にあっては、この記録媒体を特定するディスクＩＤを併せて携帯電話にアップロードし、ＩＤ管理サーバー２２に通知することも考えられる。
【００４７】
また上述の実施の形態においては、コンテンツを特定する情報としてコンテンツＩＤを適用する場合について述べたが、本発明はこれに限らず、例えばディスクＩＤと曲名とによりコンテンツを特定する情報を構成する場合、ディスクＩＤと収録曲の番号とによりコンテンツを特定する情報を構成する場合等、コンテンツを特定する情報にあっては、必要に応じて種々の情報を適用することができる。
【００４８】
また上述の実施の形態においては、携帯電話に音楽コンテンツをアップロードして着メロとして利用する場合について述べたが、本発明はこれに限らず、例えば１曲全て、アルバム全てを携帯電話にアップロードして、携帯電話を音楽の再生装置として使用する場合にも広く適用することができる。なおこの場合、利用回数に応じて課金する場合には、携帯電話において、利用の履歴を記録して保持し、回線接続処理等において電話局管理用サーバーに通知することが必要になる。
【００４９】
また上述の実施の形態においては、携帯電話に音楽コンテンツをアップロードして利用する場合について述べたが、本発明はこれに限らず、例えば映像コンテンツを携帯電話にアップロードして待ち受け画面に利用する場合等に広く適用することができる。
【００５０】
また上述の実施の形態においては、光ディスクによりコンテンツを提供する場合について述べたが、本発明はこれに限らず、例えＩＣカードによりコンテンツを提供する場合等、種々の記録媒体によりコンテンツを提供する場合に広く適用することができる。
【００５１】
【発明の効果】
上述のように本発明によれば、記録媒体に記録したコンテンツと共に携帯電話にアップロードしてなるコンテンツを特定するコンテンツ情報に基づいて、携帯電話におけるコンテンツの使用料金を徴収することにより、コンパクトディスク等に記録された音楽より所望の箇所を切り出して着メロとして利用する場合等に、種々の保護形態に柔軟に対応して著作権を有効に保護することができる。
【図面の簡単な説明】
【図１】本発明の実施の形態に係る着メロシステムを示すブロック図である。
【図２】図１の着メロシステムにおけるコンピュータを示すブロック図である。
【図３】図２のコンピュータにおける処理手順を示すフローチャートである。
【図４】図１の着メロシステムにおける管理用データベースの説明に供する図表である。
【符号の説明】
１……着メロシステム、２……コンピュータ、３……光ディスク、４……携帯電話、２１……電話局管理用サーバー、２２……ＩＤ管理サーバー、２３……著作権管理サーバー
【図１】
2004212448.tif 000003
【図２】
2004212448.tif 000004
【図３】
2004212448.tif 000005
【図４】
2004212448.tif 000006